(57)【要約】  サブバッテリの熱による劣化を防止しながら、リレーの切り換え時に発生する騒音を小さくする。車両は、エンジン(２１)と、スターターモータ(２２)と、スターターモータ(２２)に電力を供給するスターターバッテリ(１)とを備え、さらに、スターターバッテリ(１)と並列に接続される予備蓄電システム(１０)と、回生発電してスターターバッテリ(１)及び予備蓄電システム(１０)を充電するオルタネータ(２３)と、エンジン(２１)が配置されるエンジンルーム(５)と、予備蓄電システム(１０)が配置されるキャビン(６)とを備えている。予備蓄電システム(１０)は、スターターバッテリ(１)に、リレー(３)を介して並列に接続される電装用蓄電部(２)と、オルタネータ(２３)が発電する際にリレー(３)をオン状態に制御し、エンジン(２１)を再始動させる際にリレー(３)をオフ状態に制御するリレー制御回路(１１)とを含み、さらに、リレー(３)がエンジンルーム(５)に配置されている。
2014068920.tif 000002
【特許請求の範囲】
【請求項１】
車両を駆動するエンジンと、前記エンジンを始動させるためのスターターモータと、前記スターターモータに電力を供給するスターターバッテリと、を備え、
アイドリング時に前記エンジンを停止させると共に、前記スターターモータによって前記エンジンを再始動可能に構成されるアイドリングストップする車両であって、
さらに、
前記スターターバッテリと並列に接続される予備蓄電システムと、
車両を減速させる際に回生発電して、前記スターターバッテリ及び前記予備蓄電システムを充電するオルタネータと、
前記エンジンが配置されるエンジンルームと、
前記予備蓄電システムが配置されるキャビンとを備え、
前記予備蓄電システムは、
前記スターターバッテリに、リレーを介して並列に接続される電装用蓄電部と、
前記オルタネータが発電する際に、前記リレーをオン状態に制御すると共に、アイドリングストップしているエンジンを再始動させる際に、前記リレーをオフ状態に制御するリレー制御回路と、を含み、
前記リレーがエンジンルームに配置されてなることを特徴とするアイドリングストップする車両。
【請求項２】
前記スターターバッテリが鉛バッテリである請求項１に記載されるアイドリングストップする車両。
【請求項３】
前記スターターバッテリが鉛バッテリで、電装用蓄電部がニッケル水素電池である請求項１又は２に記載されるアイドリングストップする車両。
【請求項４】
前記電装用蓄電部がリチウムイオン二次電池である請求項１又は２に記載されるアイドリングストップする車両。
【請求項５】
前記電装用蓄電部がニッケル水素電池で、該電装用蓄電部がＤＣ／ＤＣコンバータを介することなくアイドリングストップ状態の車両の電装機器に電力を供給してなる請求項３に記載されるアイドリングストップする車両。
【請求項６】
前記電装用蓄電部から電力が供給される電装機器が、電動パワーステアリング、アイドリングストップする車両のコントロールユニットを含む請求項１から５のいずれかに記載されるアイドリングストップする車両。
【請求項７】
前記スターターバッテリの定格容量が電装用蓄電部の定格容量よりも大きく、該スターターバッテリから前記予備蓄電システムに動作電力を供給してなる請求項１から６のいずれかに記載されるアイドリングストップする車両。
【発明の詳細な説明】
【技術分野】
【０００１】
本発明は、信号停止などでアイドリングストップする車両に関する。
【背景技術】
【０００２】
アイドリングストップする車両は、信号待ちなどでは、エンジンのアイドリングをストップすることで燃費効率を相当に改善できる。また、回生発電する車両は、減速するときに車両の運動のエネルギーでオルタネータを駆動してバッテリを充電する。アイドリングストップする車両では、エンジンを再始動させる際、バッテリからスターターモータへ電力を供給する必要があるため、スターターモータへ電力を供給するバッテリが、オルタネータによって充電するように構成される。スターターモータへの電力供給を行うバッテリとしては、電池の特性上、定格電圧を１２Ｖとする鉛バッテリが搭載されることが多い。しかしながら、鉛バッテリは、充電抵抗が比較的大きいため、回生発電電力を効率よく充電できない欠点がある。【０００３】
さらに、燃費効率を改善するために、アイドリングストップする車両は、車両のメインスイッチであるイグニッションスイッチをオンに保持する状態において、信号待ちなどで停止するとエンジンを停止し、信号が変わるとエンジンを再始動して走行する必要がある。この車両は、エンジンを再始動する毎に、鉛バッテリからスターターモータに電力を供給する。スターターモータは、消費電流が極めて大きく、エンジンの再始動時に鉛バッテリの電圧を一時的に著しく、たとえば約９Ｖ以下に低下させる、すなわち瞬低の状態とする。鉛バッテリの電圧が瞬低すると、鉛バッテリを電源として動作している車両のコントロールユニットやその他の電装機器が一時的に動作不良を起こす等して、正常な動作を保証できなくなる欠点がある。【０００４】
この欠点を解消するために、鉛バッテリと並列にサブバッテリを接続する電源装置が開発されている。（特許文献１及び２参照）
【先行技術文献】
【特許文献】
【０００５】
【特許文献１】特開２０１１−２０８５９９号公報
【特許文献２】特開２００３−２５４２０８号公報
【発明の概要】
【発明が解決しようとする課題】
【０００６】
これ等の公報の電源装置は、鉛バッテリと並列にリチウムイオン二次電池をサブバッテリとして接続している。鉛バッテリとリチウムイオン二次電池はオルタネータで充電される。さらに、これ等の電源装置は、鉛バッテリとリチウムイオン二次電池との間にリレーを接続しており、スターターモータに電力を供給するときに、リレーを切り換えて、鉛バッテリやリチウムイオン二次電池からスターターモータに電力を供給している。この電源装置は、キャビン内に配置して、サブバッテリであるリチウムイオン二次電池の熱による劣化を防止して寿命を長くできる。しかしながら、電源装置をキャビン内に配置すると、内蔵しているリレーが切り換えられるときに発生する騒音の遮音が難しく、スターターモータがエンジンを再始動する毎に騒音を発生する欠点がある。この欠点は、電源装置をエンジンルームに配置して解消できるが、サブバッテリの熱による劣化が甚だしく、寿命が短くなる欠点がある。【０００７】
本発明は、以上の欠点を解決することを目的に開発されたものである。本発明の重要な目的は、サブバッテリの熱による劣化を防止しながら、リレーの切り換え時に発生する騒音を小さくできるアイドリングストップの車両を提供することにある。
【課題を解決するための手段及び発明の効果】
【０００８】
本発明のアイドリングストップする車両は、車両を駆動するエンジン２１と、このエンジン２１を始動させるためのスターターモータ２２と、このスターターモータ２２に電力を供給するスターターバッテリ１とを備え、アイドリング時にエンジン２１を停止させると共に、スターターモータ２２によってエンジン２１を再始動可能に構成されている。さらに、アイドリングストップする車両は、スターターバッテリ１と並列に接続される予備蓄電システム１０と、車両を減速させる際に回生発電して、スターターバッテリ１及び予備蓄電システム１０を充電するオルタネータ２３と、エンジン２１が配置されるエンジンルーム５と、予備蓄電システム１０が配置されるキャビン６とを備えている。予備蓄電システム１０は、スターターバッテリ１に、リレー３を介して並列に接続される電装用蓄電部２と、オルタネータ２３が発電する際に、リレー３をオン状態に制御すると共に、アイドリングストップしているエンジン２１を再始動させる際に、リレー３をオフ状態に制御するリレー制御回路１１とを含み、さらに、リレー３がエンジンルーム５に配置されている。
【０００９】
以上の車両は、予備蓄電システムの熱による劣化を防止しながら、リレーの切り換え時に発生する騒音を小さくできる特徴がある。それは、以上の車両が、スターターバッテリに並列に接続される予備蓄電システムをキャビン内に配置し、リレーをエンジンルームに配置しているからである。電装用蓄電部の環境温度は、夏期において高くなって、バッテリ等を劣化させる原因となる。車両のエンジンルームは、エンジンや排気管の排熱、ラジエータの排熱、冷房用の凝縮器の排熱などで異常な高温となるが、キャビン内は冷房され、あるいは換気されてドライバーに快適な温度に保持される。したがって、キャビン内に配置させる電装用蓄電部は、異常な高温に加熱されることがなく、温度上昇による劣化を相当に少なくできる。また、リレーは、電装用蓄電部に接続されるので、電装用蓄電部の近傍に配置してリード線を短くできるが、本発明の車両は、電装用蓄電部に接続されるリレーをキャビン内でなくてエンジンルームに配置する。このため、リレーの遮音構造を簡単にしながら、オンオフに切り換えられるときに発生する騒音を低減できる特徴がある。
【００１０】
本発明のアイドリングストップする車両は、スターターバッテリ１を鉛バッテリ１Ａとすることができる。
この車両は、鉛バッテリからスターターモータに大電流を供給して、スターターモータでもってエンジンを確実に再始動できる特徴がある。それは、鉛バッテリの放電抵抗が極めて小さく、優れた放電特性を有するからである。また、電装用蓄電部からスターターモータに大電流を供給しないので、電装用蓄電部の大電流放電による劣化を防止できる特徴も実現する。
【００１１】
本発明のアイドリングストップする車両は、スターターバッテリ１を鉛バッテリ１Ａとして、電装用蓄電部２をニッケル水素電池２Ａとすることができる。
ニッケル水素電池は定格電圧を１．２Ｖとするので、１０個のニッケル水素電池を直列に接続して電装用蓄電部の定格電圧を１２Ｖにできる。したがって、１０個のニッケル水素電池を直列に接続して電装用蓄電部とすることで、電装用蓄電部とスターターバッテリの定格電圧をほぼ同じ電圧にできる。したがって、以上の車両は、ＤＣ／ＤＣコンバータを介することなくスターターバッテリと電装用蓄電部を並列に接続して、オルタネータの回生発電電力でもって、スターターバッテリと電装用蓄電部の両方をバランスよく充電できる。また、エンジンの再始動状態においては、スターターバッテリに接続されない電装用蓄電部から電装機器に動作電力を供給し、再始動状態を除くタイミングにおいては、スターターバッテリと電装用蓄電部の両方から電装機器にバランスよく安定して動作電力を供給できる特徴がある。
【００１２】
本発明のアイドリングストップする車両は、電装用蓄電部２をリチウムイオン二次電池とすることができる。
この車両は、電装用蓄電部を小型、軽量化しながら充放電容量を大きくできる特徴がある。
【００１３】
本発明のアイドリングストップする車両は、電装用蓄電部２をニッケル水素電池２Ａとして、この電装用蓄電部２からＤＣ／ＤＣコンバータを介することなくアイドリングストップする車両の電装機器２０に電力を供給することができる。
この車両は、ＤＣ／ＤＣコンバータを介することなく、エンジンの再始動状態においても、電装用蓄電部から安定して電装機器に動作電力を供給できる特徴がある。それは、ニッケル水素電池が、優れた定電圧特性を有するからである。
【００１４】
本発明のアイドリングストップする車両は、電装用蓄電部２から電力が供給される電装機器２０が、電動パワーステアリング、及びアイドリングストップする車両のコントロールユニットを含むことができる。
この車両は、再始動状態においても電動パワーステアリングを正常に動作し、また、アイドリングストップする車両のコントロールユニットの電源電圧の瞬低によるリセットなどの誤動作を防止できる。
【００１５】
本発明のアイドリングストップする車両は、スターターバッテリ１の定格容量を電装用蓄電部２の定格容量よりも大きくし、スターターバッテリ１から予備蓄電システム１０に動作電力を供給することができる。
この車両は、定格容量の大きいスターターバッテリから予備蓄電システムの回路に安定して動作電力を供給できる特徴がある。
【図面の簡単な説明】
【００１６】
【図１】本発明の一実施の形態にかかるアイドリングストップする車両の概略構成図である。
【発明を実施するための形態】
【００１７】
以下、本発明の実施の形態を図面に基づいて説明する。ただし、以下に示す実施の形態は、本発明の技術思想を具体化するためのアイドリングストップする車両を例示するものであって、本発明は車両を以下のものに特定しない。さらに、この明細書は、請求の範囲に示される部材を、実施の形態の部材に特定するものでは決してない。
【００１８】
図１の車両は、エンジン２１を始動するスターターモータ２２に電力を供給するスターターバッテリ１と、このスターターバッテリ１にリレー３を介して並列に接続される電装用蓄電部２を備える予備蓄電システム１０と、リレー３をオンオフに制御するリレー制御回路１１と、車両の回生発電電力でスターターバッテリ１と電装用蓄電部２の両方を充電するオルタネータ２３とを備える。
【００１９】
回生制動する車両は、減速するときの運動のエネルギーでオルタネータ２３を回転する。回生制動状態において、車輪２４がエンジン２１を回転し、エンジン２１がオルタネータ２３を回転する。オルタネータ２３の回転トルクは、エンジン２１を介して車両を制動して減速する。オルタネータ２３が回生制動して発電する電力は、車両の運動のエネルギーに比例して大きくなる。車両の運動のエネルギーは、車両の重量と速度の自乗の積に比例して大きくなる。たとえば、６０Ｋｍ／時で走行する１トンの車両は、約４０Ｗｈの運動のエネルギーを有する。運動のエネルギーの５０％でバッテリを充電できると仮定すれば、６０Ｋｍ／時で走行している普通車が、１回の信号待ちで停止する毎に、２０Ｗｈもの電力をバッテリに蓄電できる。
【００２０】
回生制動は、車両が停止するまでの極めて短い時間において、バッテリを大きな電流で充電するので、いかに効率よくバッテリに充電できるかが大切である。図１の車両は、回生発電電力で効率よく充電するために、スターターバッテリ１と並列に電装用蓄電部２を接続している。スターターバッテリ１は鉛バッテリ１Ａである。鉛バッテリ１Ａは、放電抵抗が極めて小さく、大電流の放電特性に優れるので、スターターモータ２２に大電流を供給してエンジン２１をスムーズに再始動する。ただ、スターターバッテリは、鉛バッテリに特定せず、スターターモータに電力を供給してエンジンを再始動できる全てのバッテリを使用できる。
【００２１】
電装用蓄電部２は、鉛バッテリ１Ａよりも充電特性に優れた二次電池で、ニッケル水素電池２Ａである。ただ、電装用蓄電部には、リチウムイオン二次電池やリチウムポリマー電池等の非水系電解液二次電池も使用できる。ニッケル水素電池２Ａは、充電抵抗が極めて小さく、優れた大電流の充電特性を有し、リチウムイオン二次電池などの非水系電解液二次電池は、軽くて充放電容量を大きくできる。また、この実施の形態では、電装用蓄電部に二次電池を使用する例を説明しているが、本発明は電装用蓄電部として二次電池に代えて、あるいはこれに加えて、電気二重層キャパシタ（ＥＤＬＣ）等のキャパシタを利用することもできる。
【００２２】
スターターバッテリ１は、定格電圧を１２Ｖとする鉛バッテリ１Ａである。ただ、スターターバッテリには、定格電圧を２４Ｖ、３６Ｖ、４８Ｖとする鉛バッテリも使用できる。電装用蓄電部２は、ＤＣ／ＤＣコンバータを介することなくスターターバッテリ１に接続されるので、直列に接続する個数を調整して、定格電圧を鉛バッテリ１Ａに等しくし、あるいはほぼ等しくする。１２Ｖの鉛バッテリ１Ａであるスターターバッテリ１に並列に接続される、ニッケル水素電池２Ａの電装用蓄電部２は、１０個のニッケル水素電池２Ａを直列に接続して定格電圧を１２Ｖとする。
【００２３】
回生制動において、オルタネータ２３は、スターターバッテリ１と電装用蓄電部２の両方を充電する。したがって、リレー制御回路１１は、オルタネータ２３の回生発電状態においては、リレー３をオン状態として、回生発電電力でスターターバッテリ１と電装用蓄電部２の両方を充電する。
【００２４】
車両は、信号待ちなどの走行しない状態でエンジン２１を停止して、燃費効率を改善する。すなわち、アイドリングストップして燃費効率を改善する。この車両は、アイドリングストップする状態から車両を走行させるときに、エンジン２１を再始動する必要がある。エンジン２１を再始動する毎に、スターターモータ２２のスタータースイッチ２５はオン状態に切り換えられる。スターターモータ２２は、回転トルクを大きくするために抵抗を極めて小さくしている。このため、スタータースイッチ２５のオン状態で、スターターバッテリ１の電圧は１２Ｖから約９Ｖ程度に低下する。とくに、スターターバッテリ１は、劣化して内部抵抗が大きくなると、スタータースイッチ２５のオン状態で電圧が９Ｖ以下に低下することがある。すなわち、アイドリングストップする車両は、エンジン２１を再始動する毎にスターターバッテリ１の電圧を一時的に低下させる。バッテリの電圧が一時的に低下する瞬低は、これから動作電力を供給している電装機器２０の安定な動作を保証できず、誤動作の原因となる。とくに、エンジン２１の再始動は、イグニッションスイッチ２６をオンに切り換えて、最初にエンジン２１を始動する状態とは異なって、全ての電装機器２０は動作状態にある。最初にイグニッションスイッチ２６をオンに切り換える状態は、エンジン２１が始動した後、電装機器２０を動作状態とすることで、安定な動作を保証できる。しかしながら、エンジン２１の再始動は、電装機器２０を動作状態としながら、バッテリ電圧を瞬低させるので、電装機器２０を正常な動作を保証できない。
【００２５】
図１の車両は、エンジン２１の再始動状態で電装機器２０への供給電圧が瞬低しないように、スターターバッテリ１からは電装機器２０へ動作電力を供給せず、すなわち、電装用蓄電部２をスターターバッテリ１から切り離して、電装用蓄電部２から電装機器２０に動作電力を供給する。したがって、リレー制御回路１１は、スターターモータ２２に電力を供給する状態、すなわちスタータースイッチ２５のオン状態では、リレー３をオフ状態に切り換える。電装用蓄電部２から動作電力が供給される電装機器２０は、スターターバッテリ１の瞬低によっても正常な動作を保証する必要がある電装機器、たとえば、電動パワーステアリングや、アイドリングストップする車両のコントロールユニットのマイクロコンピュータなどである。車両には種々の電装機器２０が搭載されるが、必ずしも全ての電装機器に、エンジンの再始動状態において電装用蓄電部から動作電力を供給する必要はない。たとえば、霜取り用のヒーター、エアコン用のファンモータ、オーディオやナビ用の機器等のように、瞬低による弊害が問題とならない電装機器は、スターターモータから動作電力を供給することもできる。ただ、エンジンの再始動状態においては、全ての電装機器に電装用蓄電部から動作電力を供給することもできる。エンジンの再始動状態において、電装用蓄電部からどの電装機器に動作電力を供給するかは、電装用蓄電部の定格容量を考慮して設定される。
【００２６】
図１の車両は、リレー制御回路１１を予備蓄電システム１０に設けて、予備蓄電システム１０と車両側とを、たとえばＣＡＮ等の通信ライン９で接続している。リレー制御回路１１は、車両側から伝送されるスタータースイッチ２５のオン信号を検出して、リレー３をオフ状態に切り換える。すなわち、スタータースイッチ２５がオン状態で、リレー３はオフ状態に保持される。スタータースイッチ２５がオフ状態に切り換えられると、リレー３はオン状態に切り換えられて、電装用蓄電部２はスターターバッテリ１と並列に接続される。
【００２７】
図１の予備蓄電システム１０は、電装用蓄電部２と、この電装用蓄電部２と直列に接続しているヒューズ１８と、電装用蓄電部２の電圧、電流、温度等の電池状態を検出する検出回路１２で検出される電池状態を演算するＣＰＵを内蔵する演算回路１３と、この演算回路１３に接続している通信回路１４と、検出回路１２に動作電力を供給する定電圧電源１５と、この定電圧電源１５にスターターバッテリ１から電力を供給するハイサイドスイッチ１６と、車両側からイグニッションスイッチ２６の信号が入力されるＫｅｙ入力検出回路１７と、再始動時にリレー３をオフに切り換えるリレー制御回路１１とを備える。
【００２８】
この予備蓄電システム１０は、車両のイグニッションスイッチ２６がオンに切り換えられると、この信号をＫｅｙ入力検出回路１７で検出する。Ｋｅｙ入力検出回路１７は、イグニッションスイッチ２６のオン信号を検出して、ハイサイドスイッチ１６をオンに切り換え、オン信号のハイサイドスイッチ１６が定電圧電源１５とリレー制御回路１１に動作電力を供給する。動作電力は、定格容量の大きいスターターバッテリ１から供給される。スターターバッテリ１は瞬低で一時的に電圧が低下するが、定電圧電源１５は安定化した電圧を演算回路１３に供給する。この予備蓄電システム１０は、イグニッションスイッチ２６がオンに切り換えられると、演算回路１３とリレー制御回路１１を動作状態に切り換える。イグニッションスイッチ２６のオフ状態において、演算回路１３とリレー制御回路１１は休止状態となって、消費電力を削減する。イグニッションスイッチ２６のオン状態、すなわちドライバーが車両に乗って車両を走行させる状態で、アイドリングストップし、その後、エンジン２１を再始動するときは、車両側から予備蓄電システム１０に、スタータースイッチ２５のオン信号を、通信回路１４を介して演算回路１３に伝送する。演算回路１３は、スタータースイッチ２５のオン信号を検出すると、リレー制御回路１１を介してリレー３をオフ状態に切り換える。すなわち、スターターモータ２２がエンジン２１を再始動する状態で、リレー３をオフ状態として、スターターバッテリ１のみからスターターモータ２２に電力を供給し、電装用蓄電部２はスターターモータ２２から切り離されて電装機器２０に動作電力を供給する。エンジン２１が再始動されて、スタータースイッチ２５がオフに切り換えられると、リレー制御回路１１はリレー３をオン状態に切り換えて、電装用蓄電部２をスターターバッテリ１と並列に接続する。この予備蓄電システム１０は、エンジン２１の再始動タイミング以外のタイミングにおいて、スターターバッテリ１と電装用蓄電部２を並列に接続する。
【００２９】
オルタネータ２３は、スターターバッテリ１と電装用蓄電部２の過放電と過充電を防止するように充電する。互いに並列に接続しているスターターバッテリ１と電装用蓄電部２の電圧が最低電圧よりも低下すると、オルタネータ２３が発電して、スターターバッテリ１と電装用蓄電部２を充電する。回生制動する車両は、車両が制動する状態でスターターバッテリ１と電装用蓄電部２の両方を充電する。回生発電電力で頻繁に充電されて、スターターバッテリ１と電装用蓄電部２の電圧が最低電圧よりも低下しないときは、エンジン２１でオルタネータ２３を駆動して充電しないが、回生発電電力で充電する状態においても、スターターバッテリ１と電装用蓄電部２の電圧が最低電圧よりも低下するときは、エンジン２１でオルタネータ２３を駆動して充電する。回生発電電力量が大きすぎてスターターバッテリ１と電装用蓄電部２を過充電する状態では、オルタネータ２３の出力を小さく制限して、過充電を防止する。
【００３０】
リレー３は、オン状態においては、電装用蓄電部２とスターターバッテリ１とを並列接続して、回生発電電力ではスターターバッテリ１と電装用蓄電部２の両方を充電し、オフ状態では電装用蓄電部２をスターターバッテリ１から切り離して、電装用蓄電部２のみから電装機器２０に動作電力を供給する。回生発電は短時間に大電流でスターターバッテリ１と電装用蓄電部２とを急速充電する。とくに、電装用蓄電部２の充電抵抗をスターターバッテリ１の充電抵抗よりも小さくして、電装用蓄電部２をスターターバッテリ１よりも大電流で充電する車両は、回生発電時にリレー３に相当に大きな電流が流れる。たとえば、出力電流を２００Ａとするオルタネータ２３は、回生制動時に、電装用蓄電部２を約２００Ａもの大電流で充電するので、リレー３には電流容量の大きい、すなわち電流容量の大きい接点のリレー３を使用する必要がある。電流容量の大きいリレー３は、可動部分が大きく、オンオフの切り換え時に大きな騒音と振動を発生する。大きな可動接点が固定接点に衝突し、あるいは固定接点から離れてストッパに衝突するからである。
【００３１】
さらに、予備蓄電システム１０は、電装用蓄電部２として、スターターバッテリ１よりも重量に対し、あるいは容積に対して充放電の容量が大きい、ニッケル水素電池２Ａやリチウムイオン二次電池が使用されるが、これ等のバッテリは温度が高くなると劣化が甚だしくなる特性がある。このため、予備蓄電システム１０がエンジンルーム５に配置されると、高温になって劣化が甚だしくなる。さらに、電装用蓄電部２は、回生発電でスターターバッテリ１よりも大電流で充電されるので、この状態における発熱量も大きく、それ自体の温度上昇も大きくなる。温度上昇による劣化を防止するために、予備蓄電システム１０は、車両の客室内やトランクルーム等のキャビン６内に配置される。キャビン６内はエンジンルーム５に比較して温度が低く、とくに温度上昇がはなはだしい夏期においても、キャビン６内は冷房されて温度が低くなる。このため、温度上昇による電装用蓄電部２の劣化を理想的な状態で防止できる。
【００３２】
本発明の車両は、予備蓄電システム１０をキャビン６内に配置して電装用蓄電部２の劣化を防止するが、電装用蓄電部２をスターターバッテリ１に接続するリレー３はエンジンルーム５内に配置する。オンオフに切り換えられる騒音レベルを低減するためである。車両のキャビン６内は、エンジンルーム５と金属板７で区画されて、エンジンルーム５の騒音を遮断する構造としているので、リレー３をエンジンルーム５に配置して、リレー３の切り換え時の騒音を遮音できる。リレー３は、電装用蓄電部２をスターターバッテリ１に接続するので、スターターバッテリ１の近傍であって車両のシャーシに固定される。
【産業上の利用可能性】
【００３３】
本発明の車両は、アイドリングストップする車両であって、予備蓄電システムを、リレーを介してスターターバッテリに並列接続可能な車両に好適に使用できる。
【符号の説明】
【００３４】
１…スターターバッテリ                １Ａ…鉛バッテリ
２…電装用蓄電部                      ２Ａ…ニッケル水素電池
３…リレー
５…エンジンルーム
６…キャビン
７…金属板
９…通信ライン
１０…予備蓄電システム
１１…リレー制御回路
１２…検出回路
１３…演算回路
１４…通信回路
１５…定電圧電源
１６…ハイサイドスイッチ
１７…Ｋｅｙ入力検出回路
１８…ヒューズ
２０…電装機器
２１…エンジン
２２…スターターモータ
２３…オルタネータ
２４…車輪
２５…スタータースイッチ
２６…イグニッションスイッチ
【図１】
2014068920.tif 000003
【国際調査報告】
2014068920.tif 000004
2014068920.tif 000005